(57)【要約】【課題】ブラシに付着した塵埃が飛散するのを防ぐ。【解決手段】室内から吸い込んだ空気が通過するエアフィルタと、エアフィルタと接触しつつ一方向に沿って移動可能である且つエアフィルタに付着した塵埃を除去するブラシ４３との間に、ブラシ４３の移動方向と直交する方向に移動するエアフィルタを案内するアンダーカバーを配置する。アンダーカバーには、ブラシ４３をエアフィルタに接触させる開口、及び開口に渡された梁状のガイド部２８が形成されている。ガイド部２８のブラシ４３と対向する傾斜面２８ａは、ブラシ４３の移動方向上流側に近付くにつれてブラシ４３のから離れる方向に傾斜している。【選択図】図９
2010159892.tif 000002
【特許請求の範囲】
【請求項１】
室内から吸い込んだ空気が通過するエアフィルタと、
前記エアフィルタと接触しつつ第１方向に沿って移動可能であり且つ前記エアフィルタに付着した塵埃を除去するブラシと、
前記ブラシの移動時に該ブラシに接触する当接部材とを備えており、
前記当接部材は、前記ブラシに対向した対向面を有しており、
前記対向面の少なくとも一部には前記第１方向の上流側に近付くにつれて前記ブラシから離れる方向に傾斜した第１傾斜面を有していることを特徴とする空気調和機。
【請求項２】
前記第１傾斜面は、前記ブラシの移動時に、前記当接部材において前記ブラシが最初に接触する第１接触部分に設けられていることを特徴とする請求項１に記載の空気調和機。
【請求項３】
前記第１傾斜面は、前記第１接触部分から、前記当接部材において前記ブラシと最も接近する部分まで形成されていることを特徴とする請求項２に記載の空気調和機。
【請求項４】
前記当接部材は、前記第１方向に略直交する第２方向に延びる部材であることを特徴とする請求項１〜３のいずれか１項に記載の空気調和機。
【請求項５】
前記第１傾斜面は、前記当接部材の前記第２方向に沿った概ね全ての部分に形成されていることを特徴とする請求項４に記載の空気調和機。
【請求項６】
前記ブラシが、２つのプーリに架け渡された無縁ベルト状のブラシベースと、前記ブラシベースの一方の面に植毛されたブラシ毛とを有していることを特徴とする請求項１〜５のいずれか１項に記載の空気調和機。
【請求項７】
前記エアフィルタと前記ブラシとが対向する領域の外側に配置されており、前記ブラシから離脱された塵埃を収容するダストボックスをさらに備えていることを特徴とする請求項６に記載の空気調和機。
【請求項８】
前記ブラシの幅方向外側において、前記第１方向に沿って配置されたガイドをさらに備えていることを特徴とする請求項６又は７に記載の空気調和機。
【請求項９】
前記エアフィルタが、前記当接部材によって案内されつつ、前記第１方向と直交する方向に移動可能であることを特徴とする請求項１〜８のいずれか１項に記載の空気調和機。
【請求項１０】
前記第１傾斜面が平面であることを特徴とする請求項１〜９のいずれか１項に記載の空気調和機。
【請求項１１】
前記第１傾斜面が曲面であることを特徴とする請求項１〜９のいずれか１項に記載の空気調和機。
【請求項１２】
前記第１傾斜面が外側に向かって突出した曲面であることを特徴とする請求項１１項に記載の空気調和機。
【請求項１３】
前記当接部材は、前記対向面の少なくとも前記第１方向に関して前記第１傾斜面の下流側に位置しており且つ下流側に近付くにつれて前記ブラシから離れる方向に傾斜した第２傾斜面をさらに有していることを特徴とする請求項１〜１２のいずれか１項に記載の空気調和機。
【請求項１４】
前記第２傾斜面は、前記ブラシの移動時に、前記当接部材において前記ブラシが最後に接触する第２接触部分に設けられていることを特徴とする請求項１３に記載の空気調和機。
【発明の詳細な説明】
【技術分野】
【０００１】
本発明は、空気調和機に関するもので、特にエアフィルタの自動清掃機能を備えた空気調和機に関するものである。
【背景技術】
【０００２】
一般に、送風ファンにより吸い込んだ室内空気を、熱交換器との間で熱交換させることにより冷却又は加熱して室内へと返流させることで、室内空気の温度を調和する空気調和機が知られている。かかる空気調和機には、空気中に浮遊する塵埃により熱交換器が汚染されるのを防止するため、熱交換器の前面側にエアフィルタが設けられている。このエアフィルタに塵埃が付着して目詰まりが生じ通風抵抗が増大すると、空気調和機の空気調和能力が低下すると共に、消費電力が増大する。このような不都合を解消するため、エアフィルタの自動清掃機能を備えた空気調和機が種々提案されている。
【０００３】
特許文献１には、エアフィルタを清掃するための機構の一例として、エアフィルタと対向する位置に配置されたブラシが開示されている。このブラシによって、エアフィルタに付着した塵埃が除去される。かかるブラシは、一対のプーリに巻き掛けられた無端状のブラシであり、一方向に移動可能である。
【特許文献１】特開２００８−３２２４９号公報
【発明の開示】
【発明が解決しようとする課題】
【０００４】
ここで、エアフィルタとブラシとの間には、例えばエアフィルタを支持するための部材等、なんらかの構造物が設けられている場合がある。このような場合は、かかる構造物に移動するブラシが接触し、ブラシに付着した塵埃が飛散するという問題が生じる。
【０００５】
そこで、本発明は、上記のような課題を解決するためになされたものであり、ブラシに付着した塵埃が飛散するのを防ぐことができる空気調和機を提供することを目的とする。
【課題を解決するための手段】
【０００６】
第１の発明にかかる空気調和機は、室内から吸い込んだ空気が通過するエアフィルタと、前記エアフィルタと接触しつつ第１方向に沿って移動可能であり且つ前記エアフィルタに付着した塵埃を除去するブラシと、前記ブラシの移動時に該ブラシに接触する当接部材とを備えており、前記当接部材は、前記ブラシに対向した対向面を有しており、前記対向面の少なくとも一部には前記第１方向の上流側に近付くにつれて前記ブラシから離れる方向に傾斜した第１傾斜面を有している。
【０００７】
この空気調和機では、ブラシは、当接部材に当接した際に第１傾斜面の傾斜に沿ってスムーズに移動することができる。したがって、ブラシに付着した塵埃が飛散するのを防ぐことができる。
【０００８】
第２の発明にかかる空気調和機は、第１の発明にかかる空気調和機において、前記第１傾斜面は、前記ブラシの移動時に、前記当接部材において前記ブラシが最初に接触する第１接触部分に設けられている。
【０００９】
この空気調和機では、ブラシが当接部材に最初に接触するときに、当接部材の第１接触部分でブラシに付着した塵埃が飛散するのを防ぐことができる。
【００１０】
第３の発明にかかる空気調和機は、第２の発明にかかる空気調和機において、前記第１傾斜面は、前記第１接触部分から、前記当接部材において前記ブラシと最も接近する部分まで形成されている。
【００１１】
この空気調和機では、第１傾斜面に接触した後にブラシに付着した塵埃が飛散するのを防ぐことができる。
【００１２】
第４の発明にかかる空気調和機は、第１〜３のいずれかの発明にかかる空気調和機において、前記当接部材は、前記第１方向に略直交する第２方向に延びる部材である。
【００１３】
第５の発明にかかる空気調和機は、第４の発明にかかる空気調和機において、前記第１傾斜面は、前記当接部材の前記第２方向に沿った概ね全ての部分に形成されている。
【００１４】
この空気調和機では、ブラシに付着した塵埃が飛散するのをさらに確実に防ぐことができる。
【００１５】
第６の発明にかかる空気調和機は、第１〜５のいずれかの発明にかかる空気調和機において、前記ブラシが、２つのプーリに架け渡された無縁ベルト状のブラシベースと、前記ブラシベースの一方の面に植毛されたブラシ毛とを有している。
【００１６】
この空気調和機では、ブラシに付着した塵埃を途中で飛散させることなく一方向に運ぶことができる。
【００１７】
第７の発明にかかる空気調和機は、第６の発明にかかる空気調和機において、前記エアフィルタと前記ブラシとが対向する領域の外側に配置されており、前記ブラシから離脱された塵埃を収容するダストボックスをさらに備えている。
【００１８】
この空気調和機では、ブラシに付着した塵埃を途中で飛散させることなく一方向に運び、ダストボックスに回収することができる。
【００１９】
第８の発明にかかる空気調和機は、第６又は７の発明にかかる空気調和機において、前記ブラシの幅方向外側において、前記第１方向に沿って配置されたガイドをさらに備えている。
【００２０】
この空気調和機では、ガイドによってブラシ毛が幅方向に広がるのを防ぐことができる。よって、ブラシに付着した塵埃が飛散するのをいっそう確実に防ぐことができる。
【００２１】
第９の発明にかかる空気調和機は、第１〜８の発明のいずれかにかかる空気調和機において、前記エアフィルタが、前記当接部材によって案内されつつ、前記第１方向と直交する方向に移動可能である。
【００２２】
この空気調和機では、エアフィルタを案内する部材によってブラシに付着した塵埃が飛散するのを防ぐことができる。
【００２３】
第１０の発明にかかる空気調和機は、第１〜９の発明のいずれかにかかる空気調和機において、前記第１傾斜面が平面である。
【００２４】
第１１の発明にかかる空気調和機は、第１〜９の発明のいずれかにかかる空気調和機において、前記第１傾斜面が曲面である。
【００２５】
第１２の発明にかかる空気調和機は、第１１の発明にかかる空気調和機において、前記第１傾斜面が外側に向かって突出した曲面である。
【００２６】
第１３の発明にかかる空気調和機は、第１〜１２の発明にかかる空気調和機において、前記対向面の少なくとも前記第１方向に関して前記第１傾斜面の下流側に位置しており且つ下流側に近付くにつれて前記ブラシから離れる方向に傾斜した第２傾斜面をさらに有している
【００２７】
この空気調和機では、第２傾斜面によって、第１傾斜面に当接した後のブラシの立ち上がりをスムーズにすることができる。したがって、ブラシに付着した塵埃が飛散するのをより確実に防ぐことができる。
【００２８】
第１４の発明にかかる空気調和機は、第１３の発明にかかる空気調和機において、前記第２傾斜面は、前記ブラシの移動時に、前記当接部材において前記ブラシが最後に接触する第２接触部分に設けられている。
【００２９】
この空気調和機では、ブラシが当接部材から離れるときに、当接部材の第２接触部分でブラシに付着した塵埃が飛散するのを確実に防ぐことができる。
【発明の効果】
【００３０】
以上の説明に述べたように、本発明によれば、以下の効果が得られる。
【００３１】
第１の発明では、ブラシは、当接部材に当接した際に第１傾斜面の傾斜に沿ってスムーズに移動することができる。したがって、ブラシに付着した塵埃が飛散するのを防ぐことができる。
【００３２】
また、第２の発明では、ブラシが当接部材に最初に接触するときに、当接部材の第１接触部分でブラシに付着した塵埃が飛散するのを防ぐことができる。
【００３３】
また、第３の発明では、第１傾斜面に接触した後にブラシに付着した塵埃が飛散するのを防ぐことができる。
【００３４】
さらに、第５の発明では、ブラシに付着した塵埃が飛散するのをさらに確実に防ぐことができる。
【００３５】
また、第６の発明では、ブラシに付着した塵埃を途中で飛散させることなく一方向に運ぶことができる。
【００３６】
加えて、第７の発明では、ブラシに付着した塵埃を途中で飛散させることなく一方向に運び、ダストボックスに回収することができる。
【００３７】
さらに、第８の発明では、ガイドによってブラシ毛が幅方向に広がるのを防ぐことができる。よって、ブラシに付着した塵埃が飛散するのをいっそう確実に防ぐことができる。
【００３８】
また、第９の発明では、エアフィルタを案内する部材によってブラシに付着した塵埃が飛散するのを防ぐことができる。
【００３９】
加えて、第１３の発明では、第２傾斜面によって、第１傾斜面に当接した後のブラシの立ち上がりをスムーズにすることができる。したがって、ブラシに付着した塵埃が飛散するのをより確実に防ぐことができる。
【００４０】
また、第１４の発明では、ブラシが当接部材から離れるときに、当接部材の第２接触部分でブラシに付着した塵埃が飛散するのを確実に防ぐことができる。
【発明を実施するための最良の形態】
【００４１】
以下、図面を参照しつつ、本発明の実施形態にかかる空気調和機について説明する。図１は、本実施形態にかかる空気調和機の分解斜視図である。図２は、図１に示す空気調和機の後述する前面パネル７０を取り外した状態の正面図である。また、図３は、図１に示す空気調和機の略中央部分における縦断面図である。図４は、図１に示す空気調和機の端部近傍における縦断面図である。なお、ここでは空気調和機として、いわゆる室内機について説明するが、通常、空気調和機はこの室内機に室外機などが接続されることにより構成されるものである。
【００４２】
本実施形態の空気調和機１は、図１に示すように、全体として一方向に細長い形状を有しており、その長手方向が水平となるように室内の壁面に取り付けられるものである。空気調和機１は、本体ユニット１０と、フィルタユニット２０と、ケーシング３０と、清掃ユニット４０と、前面パネル７０とを主に有している。なお、以下の説明において、空気調和機１の長手方向を単に「長手方向」と称する。また、空気調和機１が取り付けられる壁から突出する方向を「前方」と称し、その反対の方向を「後方」と称する。
【００４３】
図３に示すように、本体ユニット１０は、壁に取り付けられる底フレーム１１を有している。この底フレーム１１には、室内熱交換器１２、送風ファン（クロスフローファン）１３、電装品ユニット１４などが装着されている。室内熱交換器１２は、断面視で略逆Ｖ字状に配置されており、送風ファン１３は、逆Ｖ字状の室内熱交換器１２の内側に位置している。電装品ユニット１４は、室内熱交換器１２の前面の下端部近傍に配置されている。
【００４４】
フィルタユニット２０は、底フレーム１１に取り付けられており、エアフィルタ２１と、エアフィルタ２１を移動させるピニオン２２と、ピニオン２２の駆動によって移動するエアフィルタ２１を支持して案内するフィルタガイド２３とで主に構成されている。より詳細には、フィルタガイド２３は、エアフィルタ２１が長手方向に平行な状態を保って移動するように案内する。
【００４５】
フィルタガイド２３は、フレーム２４及びアンダーカバー２６からなる。フレーム２４は、図１に示すように、エアフィルタ２１の幅方向（長手方向）に関する両端部に設けられており、エアフィルタ２１を幅方向両側から支持するアーム２５、及びアーム２５の間に渡されたブレード２５ａ及びビーム２５ｂなどによって構成されている。アンダーカバー２６は、後で詳述するように、フィルタガイド２３に案内されて前方から後方に折り返すように移動するエアフィルタ２１を外側から案内する。
【００４６】
図３、図４に示すように、フィルタガイド２３によって、通常ガイド経路２３ａと折返しガイド経路２３ｂとが形成されている。通常ガイド経路２３ａは、底フレーム１１の上端部近傍から前方に向かって延び、途中から外側に向かって湾曲しつつ下方に向かって延びている。折返しガイド経路２３ｂは、通常ガイド経路２３ａの下端に形成された後方に向かって湾曲するＵターン部２３ｃを介して折り返し状態で通常ガイド経路２３ａと連通していると共に、通常ガイド経路２３ａの中途部に連結部２３ｄで連なっている。そして、ピニオン２２は、その歯がＵターン部２３ｃ内に位置するように配置されている。
【００４７】
通常の使用状態においては、エアフィルタ２１は、通常ガイド経路２３ａに位置し、室内熱交換器１２の風上側のほぼ全域を覆った状態になっている。このとき、エアフィルタ２１の下端部はピニオン２２に当接している。そしてエアフィルタ２１の幅方向両端部における裏面には、ピニオン２２と噛合うラック部（図示せず）が設けられていることから、ピニオン２２をモータ（図示せず）によって回転駆動すると、エアフィルタ２１が移動して、図３において破線で示すように、折返しガイド経路２３ｂ内に移動する。
【００４８】
エアフィルタ２１は、上述のように、通常ガイド経路２３ａから折返しガイド経路２３ｂに移動する際、アンダーカバー２６によって案内されつつＵターン部２３ｃを通過する。そして、Ｕターン部２３ｃを通過する際に、後述するように、アンダーカバー２６の下方に位置する清掃ユニット４０によってエアフィルタ２１から塵埃を除去する清掃作業が行われる。
【００４９】
ここで、図５〜図９をさらに参照しつつ、アンダーカバー２６及び清掃ユニット４０の構成について説明する。図５は、アンダーカバー２６の斜視図である。図６は、図１に示す清掃ユニット４０の拡大図である。図７は、清掃ユニット４０の正面視における部分断面図である。図８は、アンダーカバー２６及び清掃ユニット４０の長手方向と直交する方向に沿う断面図である。図９は、アンダーカバー２６及び清掃ユニット４０のブラシ４３の長手方向に沿う部分断面図である。
【００５０】
図５に示すようにアンダーカバー２６は、長手方向に延びていると共に断面視で略Ｕ字型形状を有する板状部材であり、その内側面がエアフィルタ２１を案内するガイド面２６ａとなっている。また、アンダーカバー２６には、長手方向に延びる開口２７が形成されている。なお、開口２７の長手方向に沿う長さは、エアフィルタ２１の長手方向に沿う長さよりも長い。そして、後述するように、アンダーカバー２６の下方に位置する清掃ユニット４０のブラシ４３（図６参照等）が、開口２７を介してアンダーカバー２６のガイド面２６ａによって案内されるエアフィルタ２１の全幅と接触する。
【００５１】
さらに、アンダーカバー２６の開口２７には、その短手方向に渡された梁状のガイド部２８が２つ形成されている。ガイド部２８によって、アンダーカバー２６の強度を向上させることができる、また、ガイド部２８によって、ガイド面２６ａに沿って案内されるエアフィルタ２１が開口２７に対向する箇所において撓むのを防ぐことができる。
【００５２】
一方、図６に示すように清掃ユニット４０は、長手方向に長尺なブラシ部４１と、ブラシ部４１の長手方向に関する一端部の下方に設けられたダストボックス４２とを有するものである。ダストボックス４２は、ブラシ部４１に対して着脱自在となされている。ブラシ部４１は、無縁ベルト状のブラシベース４４と、ブラシベース４４の一方の面に植毛されたブラシ毛４５とを有するブラシ４３、及びブラシ４３を覆うケーシング４６とを備えている。
【００５３】
ブラシベース４４は、図７に示すように、モータ５０によって回転駆動される第１プーリ４７、及び従動回転する第２プーリ（図示せず）に巻き掛けられるものである。第１プーリ４７及び第２プーリは、長手方向に関して互いに離隔している。図６に示すように、ケーシング４６は、ブラシ４３の上側においてブラシ毛４５の先端部及びその近傍が外部に露出するようにブラシ４３を覆っている。
【００５４】
図８に示すように、ブラシ部４１は、ブラシ４３のケーシング４６から露出した部分が、アンダーカバー２６に形成された開口２７を介して、アンダーカバー２６のガイド面２６ａによって案内されつつフィルタガイド２３のＵターン部２３ｃを通過するエアフィルタ２１に接触するように配置されている。したがって、開口２７に渡されたガイド部２８のブラシ４３と対向する対向面は、ブラシ４３の移動時にブラシ４３に接触する。
【００５５】
また、アンダーカバー２６の開口２７の縁には、下方に突出していると共に長手方向に延びる突出部２９が形成されている。突出部２９は、ブラシ４３のケーシング４６から露出した部分の幅方向外側に位置しており、ブラシ毛４５が幅方向に広がるのを抑えている。
【００５６】
図７に示すように、第１プーリ４７がモータ５０によって時計回り回転駆動されると、ブラシ４３の上側は、図中左方から右方へと向かう方向（以下、「往動方向」と称する）に往動し、ブラシ４３の下側は、図中右方から左方へと向かう方向に復動する。このとき、ブラシ４３の上側が、エアフィルタ２１に摺接する。このブラシ４３の往復動方向は、空気調和機１の長手方向に一致しており、エアフィルタ２１の移動方向とはほぼ直交している。
【００５７】
図９に示すように、アンダーカバー２６のガイド部２８は断面視で略扇型を有している。より詳細には、ガイド部２８の下面、すなわちブラシ４３と対向する対向面の全体に、ブラシ４３の往動方向（図９において矢印で示す方向）下流側の端部が最もブラシ毛４５の根元に近接しており、上流側に近付くにつれて徐々にブラシ毛４５の根元から離れるように傾斜していると共に、外側に向かって突出した曲面である傾斜面２８ａが形成されている。すなわち、傾斜面２８ａは、ガイド部２８のブラシ４３と対向する対向面における、ブラシ４３の移動時にブラシ４３と最初に接触する部分から、ガイド部２８の最下部分、換言するとガイド部２８がブラシ４３に最も接近する部分まで形成されている。なお、傾斜面２８ａは、ガイド部２８の伸延方向に沿った全長に亘って形成されている。
【００５８】
ダストボックス４２は、ブラシ４３の長手方向に関する一端部（図６中右端部）の下方に取り付けられている。すなわち、ダストボックス４２は、第１プーリ４７の下方に位置しており、ブラシ４３がエアフィルタ２１と接触する領域の外側に位置している。ダストボックス４２は、上方に向かって開口した塵埃取入口５５を有しており、塵埃取入口５５がブラシ４３のブラシ毛４５の先端部が通過する位置に臨むように配置されている。塵埃取入口５５の内側には、２組のローラ対６１が設けられている。ローラ対６１は、ブラシ４３から離脱された塵埃取入口５５に落下してきた塵埃を圧縮した後、その下方の塵埃収納部５６に送り込む。
【００５９】
図３に戻って、ケーシング３０は、本体ユニット１０の底フレーム１１に装着された室内熱交換器１２等の構成部材、及びフィルタユニット２０を覆うように底フレーム１１に取り付けられている。より詳細には、ケーシング３０は、Ｕターン部２３ｃの近傍のみがケーシング３０から外部に露出するようにフィルタユニット２０を覆っている。そして、清掃ユニット４０は、フィルタユニット２０のアンダーカバー２６の下方に位置するように、ケーシング３０に取り付けられている。そして、ケーシング３０の前面には、前面パネル７０が取り付けられる。
【００６０】
図１に示すように、ケーシング３０には、上面に天面吸込口３１が形成されている。天面吸込口３１は、ケーシング３０の天井部分を格子状にして形成されている。また、図３及び図４に示すように、ケーシング３０の天井部分と前面パネル７０の上端との間には、長手方向に沿って延びる細長形状の隙間である前側吸込口７０ａが形成されている。そして、これら天面吸込口３１及び前側吸込口７０ａから、外部の空気が当該ケーシング３０の内部へ吸い込まれる。
【００６１】
なお、図３、４に示すように、エアフィルタ２１は、天面吸込口３１及び前側吸込口７０ａに対向している。したがって、送風ファン１３によってケーシング３０の天面吸込口３１及び前側吸込口７０ａから吸込まれた室内空気は、エアフィルタ２１を通過した後、室内熱交換器１２を通過することで、冷媒との間で熱交換され、冷却又は加熱が行われる。熱交換後の当該空気は、底フレーム１１の下面に形成された吹出口１５から室内へと吹出される。
【００６２】
以上のように、実施形態の空気調和機１は、室内から吸い込んだ空気が通過するエアフィルタ２１に接触しつつ往動方向に移動することで、エアフィルタ２１に付着した塵埃を除去するブラシ４３を備えた清掃ユニット４０を有している。ブラシ４３の移動時にブラシ４３と接触するガイド部２８におけるブラシ４３と対向する対向面には、ブラシ４３の往動方向上流側に近付くにつれてブラシ４３の根元から離れる方向に傾斜している傾斜面２８ａが形成されている。したがって、ブラシ４３は、ガイド部２８に当接した際に傾斜面２８ａの傾斜に沿ってスムーズに移動することができる。よって、ブラシ４３に付着した塵埃が飛散するのを防ぐことができる。
【００６３】
また、実施形態の空気調和機１では、傾斜面２８ａは、ガイド部２８におけるブラシ４３の移動時にブラシ４３と最初に接触する部分に設けられている。したがって、ブラシ４３がガイド部２８に最初に接触するときに、ブラシ４３に付着した塵埃が飛散するのを防ぐことができる。
【００６４】
また、実施形態の空気調和機１では、傾斜面２８ａは、ガイド部２８におけるブラシ４３と最初に接触する部分から、ガイド部２８におけるブラシ４３と最も接近する部分まで形成されている。したがって、傾斜面２８ａに接触した後にブラシ４３に付着した塵埃が飛散するのを防ぐことができる。
【００６５】
加えて、実施形態の空気調和機１では、傾斜面２８ａは、ガイド部２８の伸延方向に沿った全長に亘って形成されている。したがって、ブラシ４３に付着した塵埃が飛散するのをさらに確実に防ぐことができる。
【００６６】
また、実施形態の空気調和機１では、ブラシ４３は、第１プーリ４７及び第２プーリに架け渡された無縁ベルト状のブラシベース４４と、ブラシベース４４に植毛されたブラシ毛４５とを備えている。したがって、ブラシ４３に付着した塵埃を途中で飛散させることなく一方向に運ぶことができる。
【００６７】
さらに、実施形態の空気調和機１は、エアフィルタ２１と４３ブラシとが対向する領域の外側に配置されており、ブラシ４３から離脱された塵埃を収容するダストボックス４２を備えている。したがって、ブラシ４３に付着した塵埃を途中で飛散させることなく一方向に運び、ダストボックス４２に回収することができる。
【００６８】
加えて、実施形態の空気調和機１では、アンダーカバー２６の開口２７の縁には、ブラシ４３の幅方向外側に位置していると共に下方に突出しており、長手方向に延びる突出部２９が形成されている。したがって、ブラシ毛４５が幅方向に広がるのを防ぐことができる。よって、ブラシ４３に付着した塵埃が飛散するのを確実に防ぐことができる。
【００６９】
さらに、実施形態の空気調和機１では、エアフィルタ２１は、前方から後方に折り返すように、ブラシ４３の移動方向と直交する方向に移動可能であり、アンダーカバー２６は、折り返し部分においてエアフィルタ２１を案内する。したがって、エアフィルタ２１を案内する部材によってブラシ４３に付着した塵埃が飛散するのを防ぐことができる。
【００７０】
（変形例）
次に、上述の実施形態の第１〜第３の変形例について、図１０を参照しつつ説明する。図１０（ａ）〜（ｃ）は、それぞれ第１〜第３の変形例にかかる空気調和機におけるアンダーカバー及びブラシの長手方向に沿う断面図である。第１〜第３の変形例にかかる空気調和機は、いずれも実施形態のアンダーカバー２６のガイド部２８に相当するガイド部１２８、２２８、３２８の形状のみが実施形態と異なっている。その他の構成については、実施形態とほぼ同様であるので、同一の符号を付けて説明を省略する。
【００７１】
図１０（ａ）に示すように、第１の変形例では、ガイド部１２８のブラシ４３と対向する対向面には、往動方向（図１０において矢印で示す方向）上流側に近づくにつれて徐々にブラシ４３の根元から離れるように傾斜した平面である傾斜面１２８ａが形成されている。また、図１０（ｂ）に示すように、第２の変形例では、ガイド部２２８のブラシ４３と対向する対向面には、往動方向上流側に近づくにつれて徐々にブラシ４３の根元から離れるように内側に凹んだ曲面である傾斜面２２８ａが形成されている。
【００７２】
さらに、図１０（ｃ）に示すように、第３の変形例では、ガイド部３２８は断面視で半円形の形状を有している。より詳細には、ガイド部３２８のブラシ４３と対向する対向面における、ブラシ４３の往動方向上流側の半分には第１傾斜面３２８ａが形成されており、往動方向下流側の半分には第２傾斜面３２８ｂが形成されている。
【００７３】
第１傾斜面３２８ａは、往動方向下流側の端部が最もブラシ４３の根元に近接しており、上流側に近づくにつれて徐々にブラシ４３の根元から離れるように外側に向かって突出した曲面である。すなわち、第１傾斜面３２８ａは、ガイド部３２８のブラシ４３と対向する対向面における、ブラシ４３の移動時にブラシ４３と最初に接触する部分から、ガイド部３２８の最下部分、換言するとガイド部２８がブラシ４３に最も接近する部分まで形成されている。
【００７４】
一方、第２傾斜面３２８ｂは、往動方向上流側の端部が最もブラシ４３の根元に近接しており、下流側に近づくにつれて徐々にブラシ４３の根元から離れるように外側に向かって突出した曲面である。すなわち、第２傾斜面３２８ｂは、ガイド部３２８のブラシ４３と対向する対向面における、ガイド部３２８の最下部分から、ブラシ４３の移動時にブラシ４３と最後に接触する部分まで形成されている。
【００７５】
以上のように、第１〜第３の変形例では、ブラシ４３は、アンダーカバー２６のガイド部１２８（２２８、３２８）に当接した際に、傾斜面１２８ａ（傾斜面２２８ａ、第１傾斜面３２８ａ）の傾斜に沿ってスムーズに移動することができる。よって、上述の実施形態と同様に、ブラシ４３に付着した塵埃が飛散するのを防ぐことができる。
【００７６】
また、第３の本変形例では、第２傾斜面３２８ｂによって、第１傾斜面３２８ａに当接した後のブラシ４３の立ち上がりをスムーズにすることができる。したがって、ブラシ４３に付着した塵埃が飛散するのを確実に防ぐことができる。
【００７７】
加えて、第３の変形例では、第２傾斜面３２８ｂは、ブラシ４３の移動時にブラシ４３と最後に接触する部分に形成されている。したがって、ブラシ４３がガイド部３２８から離れるときに、ブラシ４３に付着した塵埃が飛散するのを確実に防ぐことができる。
【００７８】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００７９】
例えば、上述の実施形態及びその変形例では、ブラシ毛４５が植毛されたブラシベース４４が無縁ベルト状であると共に第１プーリ４７及び第２プーリの２つのプーリに巻き掛けられており、一方向に回転移動する場合について説明したが、これには限定されない。すなわち、ブラシベースは帯状であると共に１つのプーリに巻き掛けられるものであり、往復運動してもよい。
【００８０】
さらに、上述の実施形態及びその変形例では、ブラシ４３がエアフィルタ２１と接触する領域の外側にダストボックス４２が配置されている場合について説明したが、ダストボックス４２は、ブラシ４３がエアフィルタ２１と接触する領域内に配置されていてもよい。また、ダストボックス４２はなくてもよい。
【００８１】
加えて、上述の実施形態及びその変形例では、アンダーカバー２６にブラシ４３の幅方向外側に位置しており、長手方向に延びる突出部２９が形成されている場合について説明したが、これには限定されない。突出部２９は、アンダーカバー２６以外の部材に形成されていてもよい。また、突出部２９はなくてもよい。
【００８２】
さらに、上述の実施形態及びその変形例では、ブラシ４３の移動方向と直交する方向に移動可能なエアフィルタ２１を案内するアンダーカバー２６におけるガイド部２８に、傾斜面２８ａ（傾斜面１２８ａ、２２８ａ、第１傾斜面３２８ａ、第２傾斜面３２８ｂ）が形成されている場合について説明したが、これには限定されない。アンダーカバー２６に限らず、エアフィルタ２１とブラシ４３との間に配置された部材のブラシ４３と対向する面に、傾斜面が形成されていることが好ましい。
【００８３】
加えて、上述の実施形態及び変形例では、ガイド部２８（１２８、２２８、３２８）のブラシ４３と対向する対向面の全体に傾斜面２８ａ（傾斜面１２８ａ、２２８ａ、第１傾斜面３２８ａ、第２傾斜面３２８ｂ）が形成されている場合について説明したがこれには限定されない。傾斜面２８ａ（傾斜面１２８ａ、２２８ａ、第１傾斜面３２８ａ）は、少なくとも一部に形成されていればよい。第２傾斜面３２８ｂは、少なくとも往動方向に関して第１傾斜面３２８ａの下流側に形成されていればよい。
【００８４】
また、上述の実施形態及び変形例では、ガイド部２８（１２８、２２８、３２８）の伸延方向に沿った全長に亘って傾斜面２８ａ（傾斜面１２８ａ、２２８ａ、第１傾斜面３２８ａ、第２傾斜面３２８ｂ）が形成されている場合について説明したが、これらはガイド部２８（１２８、２２８、３２８）の伸延方向に沿った一部にのみ形成されていてもよい。
【００８５】
また、第３の変形例においては、ガイド部３２８のブラシ４３と対向する対向面に、いずれも外側に向かって突出した曲面である第１傾斜面３２８ａ及び第２傾斜面３２８ｂが形成されている場合についてそれぞれ説明したが、これらには限定されない。第１傾斜面３２８ａ及び第２傾斜面３２８ｂは、平面であってもよいし、内側に凹んだ曲面であってもよい。また、第１傾斜面３２８ａ及び第２傾斜面３２８ｂは、ブラシ４３の往動方向に関して対称でなくてもよい。
【産業上の利用可能性】
【００８６】
本発明を利用すれば、ブラシに付着した塵埃が飛散するのを防ぐことができる。
【図面の簡単な説明】
【００８７】
【図１】本発明の実施形態にかかる空気調和機の分解斜視図である。
【図２】図１に示す空気調和機の前面パネルを取り外した状態の正面図である。
【図３】図１に示す空気調和機の略中央部分における縦断面図である。
【図４】図１に示す空気調和機の端部近傍における縦断面図である。
【図５】図３に示すアンダーカバーの斜視図である。
【図６】図１に示す清掃ユニットの拡大図である。
【図７】図６に示す清掃ユニットの正面視における部分断面図である。
【図８】アンダーカバー及び清掃ユニットの長手方向と直交する方向に沿う断面図である。
【図９】アンダーカバー及び清掃ユニットのブラシの長手方向に沿う部分断面図である。
【図１０】実施形態の変形例にかかる空気調和機におけるアンダーカバー及びブラシの長手方向に沿う断面図である。
【符号の説明】
【００８８】
１  空気調和機
２１  エアフィルタ
２６  アンダーカバー（当接部材）
２８、１２８、２２８、３２８  ガイド部
２８ａ、１２８ａ、２２８ａ  傾斜面（第１傾斜面）
２９  突出部（ガイド）
４２  ダストボックス
４３  ブラシ
４７  第１プーリ
３２８ａ  第１傾斜面
３２８ｂ  第２傾斜面
【図１】
2010159892.tif 000003
【図２】
2010159892.tif 000004
【図３】
2010159892.tif 000005
【図４】
2010159892.tif 000006
【図５】
2010159892.tif 000007
【図６】
2010159892.tif 000008
【図７】
2010159892.tif 000009
【図８】
2010159892.tif 000010
【図９】
2010159892.tif 000011
【図１０】
2010159892.tif 000012